【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
側溝本体に側溝蓋を載置し、その全面を覆って、通水性舗装路の通水性表層を施工する通水性舗装用側溝構造であって、前記側溝蓋の本体には、通水口が形成されていると共に、前記側溝本体の外壁より幅広のずれ止め体が下方に形成してあり、前記側溝蓋本体の上面には、縦補強リブと横補強リブが形成されていることを特徴とする通水性舗装用側溝構造。
【請求項２】
前記側溝蓋の前記本体の上面に形成の前記縦補強リブと前記横補強リブは十字状である請求項１に記載の通水性舗装用側溝構造。
【請求項３】
前記側溝蓋をダクタイル鋳鉄で製作した請求項１又は請求項２に記載の通水性舗装用側溝構造。
【請求項４】
前記側溝蓋の高さが４０ｍｍ以下である請求項１から請求項３のいずれか１項に記載の通水性舗装用側溝構造。
【請求項５】
前記側溝蓋は、前記側溝蓋の両側に前記ずれ止め体を備えている請求項１から請求項４のいずれか１項に記載の通水性舗装用側溝構造。
【請求項６】
前記側溝本体は、側壁上端部の外側部に設けられた前記ずれ止め体の受入部を備えている請求項１から請求項５のいずれか１項に記載の通水性舗装用側溝構造。
【請求項７】
側溝本体と、前記側溝本体の上部に形成された開口部に載置する側溝蓋とを備えるプレキャスト横断側溝であって、前記側溝蓋は、本体に通水口と、前記側溝本体の外壁より幅広のずれ止め体が下方に形成してあり、さらに、前記側溝蓋の前記本体の上面には、縦補強リブと横補強リブが形成されていることを特徴とするプレキャスト横断側溝。
【請求項８】
前記側溝蓋は、前記側溝蓋の両側に前記ずれ止め体を備えている請求項７に記載のプレキャスト横断側溝。
【請求項９】
前記側溝本体は、側壁上端部の外側部に設けられた前記ずれ止め体の受入部を備えている請求項７または８に記載のプレキャスト横断側溝。
【請求項１０】
前記側溝蓋は、鋳鉄製側溝蓋である請求項７から請求項９のいずれか１項に記載のプレキャスト横断側溝。
【手続補正２】
【補正対象書類名】明細書
【補正対象項目名】０００６
【補正方法】変更
【補正の内容】
【０００６】
請求項１の横断側溝構造は、側溝本体に側溝蓋を載置し、その全面を覆って、通水性舗装を施工する。前記側溝蓋には、通水口が形成されていると共に、側溝本体の外壁より幅広のずれ止め体が下方に形成してあり、前記側溝蓋の本体の上面には、縦補強リブと横補強リブが形成されている。
又、請求項２の横断側溝構造は、側溝蓋の上面に形成の縦補強リブと横補強リブは十字状である。
又、請求項３の横断側溝構造は、側溝蓋をダクタイル鋳鉄で製作する。
又、請求項４の横断側溝構造の側溝蓋の厚さは、ＪＩＳ推奨プレキャスト側溝蓋の高さから、適正舗装厚さ５０mmを差し引いた４０ｍｍ以下としている。
又、請求項７のプレキャスト横断側溝は、側溝本体と、側溝本体の上部に形成された開口部に載置する側溝蓋とを備えるプレキャスト横断側溝であって、前記側溝蓋は、本体に通水口と、側溝本体の外壁より幅広のずれ止め体が下方に形成してあり、さらに、前記側溝蓋の前記本体の上面には、縦補強リブと横補強リブが形成されている。
【手続補正３】
【補正対象書類名】明細書
【補正対象項目名】０００８
【補正方法】変更
【補正の内容】
【０００８】
【図１】鋳鉄製側溝蓋（スラブ）の斜視図である。
【図２】側溝本体（Ｕ字溝）と鋳鉄製側溝蓋（スラブ）及び通水性表層を示す通水性舗装用側溝構造の構成図である。
【図３】側溝本体に側溝蓋（スラブ）を載置し、上面を通水性表層で覆った通水性舗装用側溝構造の図である。
【図４】図３に示すＡ〜Ａ断面図である。
【図５】図３のＢ〜Ｂ断面図である。
【手続補正４】
【補正対象書類名】明細書
【補正対象項目名】０００９
【補正方法】変更
【補正の内容】
【０００９】
本願発明の一実施の形態を図を参照して説明する。
図１は、鋳鉄製側溝蓋（スラブ）１の斜視図であり、適宜の厚みの角形状の本体の両側には、後述の側溝本体１０の外壁より幅広のずれ止め体３が下方に形成してある一方、本体の上面には、側溝蓋（スラブ）に使用する材質及び強度（断面係数）を考慮して、適宜の厚みと高さの方形状の縦補強リブ４と横補強リブ５が碁盤の目のように、適宜の間隔で、十字状に形成されている。
【手続補正５】
【補正対象書類名】明細書
【補正対象項目名】００１０
【補正方法】変更
【補正の内容】
【００１０】
尚、前記補強リブ４，５の高さは、後述する側溝の開口面に載置したとき、所定の曲げ強さを有し、通水性舗装路の通水性表層２０を確実に施すことができる高さであり、鋳鉄側溝蓋（スラブ）全体の高さは、標準施工時の舗装厚さ５０ｍｍを確保するため４０ｍｍ以下としている。
【手続補正６】
【補正対象書類名】明細書
【補正対象項目名】００１１
【補正方法】変更
【補正の内容】
【００１１】
また、本願の側溝蓋（スラブ）は、ダクタイル鋳鉄で製作することによって、十分な強度を保持でき、且つ、簡便に製作できるが、荷重条件と舗装厚さを満たせば、他の金属を用いての鋳物や、溶接等を介して製作しても良い。
尚、前記補強リブ４，５は、十字形であり四角の窪みを形成しているが、傾斜状にクロスして窪みを菱形に形成したり等、材質、強度等を選定することによって種々の形状を用いることができる。
又、前記縦補強リブ４と横補強リブ５で形成される四角の窪みの本体には、通水口６が形成されていて、通水性舗装路の通水性表層２０からの雨水等は、この通水口６を流下して側溝本体１０内に落下する。
【手続補正７】
【補正対象書類名】明細書
【補正対象項目名】００１２
【補正方法】変更
【補正の内容】
【００１２】
次に、図２は、道路の側溝、或いは、道路を横断して施設される、接続部にパッキン溝１３を形成の側溝本体（Ｕ字溝）１０と、この側溝本体１０の上部に形成の開口部に載置する側溝蓋（スラブ）１及び、その上に施工する通水性舗装路の通水性表層２０を示す通水性舗装用側溝構造の構成図である。
そして、図３に示す通水性舗装用側溝構造は、側溝本体１０の上部に形成の開口部にスラブ１を載置し、その上部全面を覆って、通水性舗装路の通水性表層２０を施工する。
【手続補正８】
【補正対象書類名】明細書
【補正対象項目名】００１３
【補正方法】変更
【補正の内容】
【００１３】
なお、この側溝蓋（スラブ）１の両側に付設のずれ止め体３によって、側溝蓋（スラブ）１は、側溝本体１０から、左右方向にずれることはなく、側溝蓋（スラブ）１の上部全面を覆う通水性表層２０は、前記縦補強リブ４と横補強リブ５で形成される四角の窪みにも挿入され、側溝蓋（スラブ）１と一体になる。
この一体に施工された通水性舗装用側溝構造の図３に示すＡ〜Ａ断面図が図４であり、Ｂ〜Ｂ断面図が図５であり、側溝本体１０との一体化を図ることにより、繰り返えされる通行車両による加重への耐久性の向上を図ることができる。また、図４および図５に示すように、側溝本体１０は、側壁上端部の外側部に、側溝蓋（スラブ）１の両側に付設のずれ止め体３の受入部を備えている。
また、前記のように施工された舗装道路は、雨水等が通水性舗装路の通水性表層２０に降りかかっても、通水性表層２０からの雨水等は通水口６を流下して側溝本体１０内に落下し、路面の排水機能を図ることができる。
【手続補正９】
【補正対象書類名】明細書
【補正対象項目名】００１４
【補正方法】変更
【補正の内容】
【００１４】
以上のように、本願の側溝蓋（スラブ）１は、鋳物で製作することによって、引張り強度が高く、さらに通水性表層２０との複合構造にすることにより、薄肉の構造体を構築することができる。
また、側溝蓋（スラブ）１の側面にずれ止め体３を付設して、側溝本体１０との一体化を図ることにより、繰り返えされる通行車両による荷重の耐久性の向上を図ることができる。  また、補強リブで形成される窪みに通水口６を形成して排水性舗装を組み合わせれば路面の排水機能を図ることができる。
【手続補正１０】
【補正対象書類名】明細書
【補正対象項目名】００１５
【補正方法】変更
【補正の内容】
【００１５】
1  鋳鉄側溝蓋（スラブ）
３  ずれ止め体
４  縦補強リブ
５  横補強リブ
６  通水口
１０  側溝本体
２０  通水性表層